(57)【特許請求の範囲】
【請求項１】
開口部を一端近傍の側面に設けた芯筒と、この芯筒を内包する袋状の容器本体とから構成され、
上記芯筒の一端を容器本体の一部に接合して該一端の開口を封止するとともに、芯筒の他端を容器本体の上記接合部位の反対側の部位に接合して該他端の開口を封止することにより芯筒の内側の室と外側の室との２つの室を形成し、芯筒の他端の開口を封止している領域を破断可能な素材で構成し、
前記芯筒は、その強度が、前記封止領域を破断する際に加えられる軸方向の押圧力を受けた状態で潰れることがなく、軸方向に交差する左右方向からの押圧力で押し潰し可能な強度に設定されていることを特徴とする透析用剤の容器。
【請求項２】
ブドウ糖を一成分として含有する複数成分からなる透析用剤を収納する透析用の容器において、
開口部を一端近傍の側面に設けた芯筒と、この芯筒を内包する袋状の容器本体とから構成され、
上記芯筒の一端を容器本体の一部に接合して該一端の開口を封止するとともに、芯筒の他端を容器本体の上記接合部位の反対側の部位に接合して該他端の開口を封止することにより芯筒の内側の室と外側の室との２つの室を形成し、芯筒の他端の開口を封止している領域を破断可能な素材で構成し、
前記芯筒は、その強度が、前記封止領域を破断する際に加えられる軸方向の押圧力を受けた状態で潰れることがなく、軸方向に交差する左右方向からの押圧力で押し潰し可能な強度に設定されていることを特徴とする透析用剤の容器。
【請求項３】
上記芯筒を、紙あるいはプラスチック製の筒体で構成し、上記袋状の容器本体を、柔軟性のある樹脂製フィルム材で構成したことを特徴とする請求項１または２に記載の透析用剤の容器。
【発明の詳細な説明】
【０００１】
【発明の属する技術分野】
本発明は、人工透析に用いる透析液の調整に使用される粉末状あるいは顆粒状の透析用剤を収納する透析用剤の容器に関する。
【０００２】
【従来の技術】
透析液の一種に重炭酸型の透析液があり、この透析液を調整するための透析用剤の多くは、溶解時における化学反応を防止すべくＡ剤とＢ剤とに分けて提供されている。Ａ剤はブドウ糖、塩化ナトリウム、塩化マグネシウムなどの成分を含んだ薬剤であり、Ｂ剤は炭酸水素ナトリウムを主成分とする薬剤である。
これらの薬剤は、粉末状や顆粒状の構成成分を２〜４リットル容量の樹脂製（例えば、ポリエチレン製）のボトルなどの容器に収納され、保管、搬送される。そして、薬剤は、溶解装置で溶解された後に希釈装置によって所定濃度に調整され、透析液として使用される。
【０００３】
ところで、近年、ゴミの処理が大きな問題として浮上しており、透析用剤の容器に使用した樹脂製ボトルの処分についても例外ではない。すなわち、ボトルは使用して空になっても、その容積は変らないので、嵩張るゴミとなり、処分が面倒である。
使用後の嵩高を減少させることができる容器とし、点滴用液の容器と同様に、袋体で構成することが考えられる。
【０００４】
【発明が解決しようとする課題】
しかしながら、透析用剤の容器を袋体で構成すると、溶解装置にセットしてノズルを挿入する際に、袋体が潰れてしまう。また、ノズルを挿入できたとしても、袋体の形状が不安定なので、ノズルから袋体内に水を供給して溶解した場合に溶解液がこぼれ易く、薬剤の全量を溶解して取り出すことが困難になってしまう。
この様に、透析用剤の容器として、ボトルを単なる袋体に変更しただけでは実用に供し得ない。
【０００５】
また、Ａ剤の成分を構成するブドウ糖は、他の成分、例えば、塩化ナトリウムなどの電解質成分と長期間接触すると変質や変色を生じてしまう。この対策として、Ａ剤をブドウ糖と他の構成成分とに分けて包装する場合がある。具体的には、透析用剤を、ブドウ糖、ブドウ糖以外のＡ剤の構成成分、および、Ｂ剤の３種類の薬剤に分けて、それぞれの薬剤を個別に容器に収納することが行われている。
【０００６】
しかしながら、透析用剤を３種類の薬剤に分け、各薬剤を個別に収納した場合には、使用後の廃棄ボトルの数が増え、その結果、廃棄容量（嵩高）が増大するという問題を生じてしまう。また、特殊な圧縮装置や粉砕装置などを使用して廃棄容量を削減させることもできるが、設置費用やこれに従事する人件費、作業負担の問題が生じる。
【０００７】
また、ブドウ糖とブドウ糖以外のＡ剤の構成成分とを個別に収納すると、溶解するときにＡ剤としての混合比に調整しなければならず、手間が掛かる。
【０００８】
本発明は上記した事情に鑑みなされたもので、その目的は、使用した後の処分を容易ならしめるために、使用後は容積を容易に小さく（減容）できる透析用剤の容器を提供しようとするものである。
【０００９】
【課題を解決するための手段】
本発明は、上記目的を達成するためになされたものであり、請求項１に記載のものは、開口部を一端近傍の側面に設けた芯筒と、この芯筒を内包する袋状の容器本体とから構成され、
上記芯筒の一端を容器本体の一部に接合して該一端の開口を封止するとともに、芯筒の他端を容器本体の上記接合部位の反対側の部位に接合して該他端の開口を封止することにより芯筒の内側の室と外側の室との２つの室を形成し、芯筒の他端の開口を封止している領域を破断可能な素材で構成し、
前記芯筒は、その強度が、前記封止領域を破断する際に加えられる軸方向の押圧力を受けた状態で潰れることがなく、軸方向に交差する左右方向からの押圧力で押し潰し可能な強度に設定されていることを特徴とする透析用剤の容器である。
【００１１】
請求項２に記載のものは、ブドウ糖を一成分として含有する複数成分からなる透析用剤を収納する透析用の容器において、
開口部を一端近傍の側面に設けた芯筒と、この芯筒を内包する袋状の容器本体とから構成され、
上記芯筒の一端を容器本体の一部に接合して該一端の開口を封止するとともに、芯筒の他端を容器本体の上記接合部位の反対側の部位に接合して該他端の開口を封止することにより芯筒の内側の室と外側の室との２つの室を形成し、芯筒の他端の開口を封止している領域を破断可能な素材で構成し、
前記芯筒は、その強度が、前記封止領域を破断する際に加えられる軸方向の押圧力を受けた状態で潰れることがなく、軸方向に交差する左右方向からの押圧力で押し潰し可能な強度に設定されていることを特徴とする透析用剤の容器である。
【００１２】
請求項３に記載のものは、上記芯筒を、紙あるいはプラスチック製の筒体で構成し、上記袋状の容器本体を、柔軟性のある樹脂製フィルム材で構成したことを特徴とする請求項１または２に記載の透析用剤の容器である。
【００１３】
【発明の実施の形態】
以下、本発明の実施の形態を図面に基づいて説明する。
図１は、本発明である透析用剤の容器１の斜視図、図２は容器１の内部構成を示す断面図である。
【００１４】
透析用剤の容器１は、一端近傍の側面に内外を貫通する開口部２を開設した中空の芯筒３と、この芯筒３を内包する袋状の容器本体４とから構成されている。
【００１５】
上記容器本体４は、図１に示すように、例えばポリエステルなど柔軟性のある樹脂製フィルム材で構成されており、縦長な長方形の２枚のフィルム材をそれぞれの左右側縁同士を溶着して筒状の胴部５を形成し、この胴部５の開放上面と開放下面に、略レモン形状のフィルム材を溶着することによりほぼ平行な第１面（図１中の上面）６と第２面（図１中の底面）７を有するパウチ型フィルムバッグとしてある。第１面６となるフィルム材は、ほぼ中央に、芯筒３の内径よりも少し小さな開口部を開設し、この開口部を、破断可能な封止シール材９を接着あるいは溶着することにより封止してある。
【００１６】
芯筒３は芯材として機能し、図１に示すように、紙あるいはプラスチック製の円筒体であり、一端（図１中下端）近傍の側面に、軸方向に長尺な略四角形の開口部２を周方向に９０度位相を変えて４箇所開設し、これらの開口部２を通じて中空内部と外部とが連通するように構成してある。
【００１７】
上記した構成から成る芯筒３を前記容器本体４の内部に設ける場合には、開口部２を開設した一端を第２面７のほぼ中央に接着あるいは溶着により止着（接合）し、他端を第１面６のほぼ中央、すなわち第２面７の接合部位の反対側の部位に接着あるいは溶着により止着する。この時、封止シール材９で閉塞した第１面６の開口部が芯筒３の中空部（開口領域）内に位置するように位置調整して止着する。この様にして芯筒３を容器本体４の内部に止着すると、芯筒３の両端の開口が容器本体４を構成しているフィルム材あるいは封止シール材９により封止され、芯筒３の内側の室１０ａと外側の室１０ｂとの２つの室１０ａ，１０ｂを形成することができる。
【００１８】
そして、図２に示すように、芯筒３の開口部２が上に位置するように容器１を立てると、この状態で、一方の室内、例えば芯筒３の内側の室１０ａ内に乾燥状態のブドウ糖を、他方の室内、例えば芯筒３の外周面と容器本体４の内面との間の室１０ｂ内に他の構成成分をそれぞれ分けて収納することができ、これによりブドウ糖を他の構成成分から隔離した状態で収納することができる。なお、ブドウ糖と他の構成成分を充填するには、第２面７となるフィルム材を止着する前に（すなわち、容器本体４と芯筒３の各上面を開放しておき）、この上面開口からブドウ糖や他の構成成分を開口部２よりも低いレベルで充填する。そして、この充填が終了した後に第２面７のフィルム材を止着して封止する。
【００１９】
このように、開口部２を上にして容器１の内部空間を芯筒３により区画して一方の室１０ａ内には、十分に乾燥した粉末状のブドウ糖を収納し、他方の室１０ｂ内には、ブドウ糖以外の他の構成成分を収納すると、ブドウ糖は、塩化ナトリウムなどの電解質成分から隔離した状態となり、この状態で運搬したり、長期間保存しても変質などを生じることがない。その結果、ブドウ糖とブドウ糖以外の他の構成成分とを別々の容器１に収納する必要がなくなり、容器１の使用数を減らすことができる。なお、搬送中に容器１が振動しても、ブドウ糖や他の構成成分が開口部２を通過して隣りの室内に入り込まないように、これらの充填量を予め適正に調整してあり、また、収納された各構成成分は粉末状又は顆粒状なので、輸送時の多少の揺れがあっても混合しない。
【００２０】
Ａ剤の使用時、すなわち、Ａ剤の溶解時には、容器１１の天地を逆転して筒体の開口部２を下にすると、図３に示すように、室１０ａ，１０ｂ内にそれぞれ収納されたブドウ糖と他の構成成分が共に自重によって各室１０ａ，１０ｂ内の下部に落ち、開口部２を介して混合する。したがって、この状態になると、ブドウ糖と他の構成成分とを混合しながらＡ剤として溶解装置によって溶解することができる。
【００２１】
具体的には、図３に示すように、開口部２を下にした状態で容器１を溶解装置のターンテーブル１１上にセットし、接続部材１２を容器１上、即ち芯筒３上に被せる。この状態で、接続部材１２を貫通したノズル１３が下降すると、ノズル１３の先端に設けられたカッター１４がシール材９を破断してノズル１３が容器１内、詳しくは芯筒３内に挿入される。なお、カッター１４がシール材９を破断すべく押圧しても、この時の押圧力を芯筒３が受け、容器本体４には圧力が殆ど掛からないので、容器１が潰れることがない。したがって、ノズル１３の挿入に支障を生ずることはない。
【００２２】
この様にして、芯筒３内にノズル１３が挿入されると、ノズル１３から芯筒３内に水が供給されるので、この水によって先ず芯筒３内のブドウ糖が溶解され、また同時に、ノズル１３から供給された水は芯筒３内を降下して開口部２から隣りの室１０ｂ内に流入するので、この室１０ｂ内に充填された他の構成成分も溶解される。なお、ノズル１３の横向き噴出口１３′が開口部２とほぼ同じ高さになるまでノズル１３を挿入し、噴出口１３′から噴出した細い水流を開口部２から室１０ｂに向けて圧入すると、他の構成成分を溶解した液が開口部２から逆流し易くなり、室１０ｂ内の他の構成成分の溶解を促進させることができる。
この様にしてブドウ糖と他の構成成分が充分に供給された水に溶解して混合すると、このＡ剤濃厚溶液はシール材９の破断口から容器１の外に溢れだし、排液管１５から希釈装置側に送られる。そして、その後、Ｂ剤溶液と混合されるとともに所定の濃度に調整され、透析液となる。
【００２３】
なお、本発明では、芯筒３が上方からの力を受けて容器１が潰れたりしないので、接続部材１２を容器１に必要充分な力で押圧することができ、これにより容器１との間の液密状態を維持することができる。したがって、容器１から出たＡ剤濃厚溶液が外部に漏出することを防止できる。
【００２４】
この様にして使用された後の容器１は、容器本体４を柔軟性のある樹脂フィルムで袋体状にしてあるので、容易に潰して容積を減少させることができ、この減容状態で廃棄することができる。その結果、廃棄容量を削減することができる。
【００２５】
なお、前記した実施形態では、芯筒３の端部の開口を容器本体４を構成しているフィルム材と破断可能なシール材９とにより封止し、シール材９を破断することによりノズル１３を挿入するように構成したが、容器本体４を構成しているフィルム材自体が破断可能であれば、芯筒３の端部の開口を両方とも容器本体４のフィルム材で封止してもよい。要するに、芯筒３の端部の開口は何等かの手段で封止され、尚且つ一方が破断可能であればよい。
【００２６】
また、芯筒３は、ブドウ糖、他の構成成分に長期間接するので、薬剤の保存により適するよう、表面処理を施してもよい。そして、芯筒３の強度は、ノズル１３を挿入する際の押圧力（一般的には約２５〜２７Ｋｇｆ）を受けるに過不足のない軸方向の強度があれば充分である。したがって、使用した後は、この芯筒３も左右方向から押し潰して減容を一層促進することもできる。そして、芯筒３は円筒形に限定されるものではなく、例えば断面楕円形や角形の筒体でもよい。この様に、芯筒３を楕円形や角形の筒体にすると、左右方向から一層容易に押し潰すことができ、減容も一層容易となる。
【００２７】
なお、本実施形態の場合、開口部２は、芯筒３の一端側面に開口されていれば、形状や数を適宜設計変更することができる。
【００２８】
また、ブドウ糖を分離しないで収納する場合、すなわちブドウ糖をはじめとするＡ剤の構成成分が混合した状態で収納する場合であっても、前記した容器１を使用することができる。そして、この場合には、芯筒３内の室１０ａと芯筒３の外側の室１０ｂとにＡ剤をそれぞれ適宜に充填して、搬送或いは保存することができる。
なお、ブドウ糖を分離しない場合には、室１０ａ内の構成成分と室１０ｂ内の構成成分とが混合してもよいので、芯筒３の側面に開設した開口部２は一端に限らず、側面の任意の位置でよい。また、芯筒３は一端が容器本体３の一部に接合して封止されていればよい。
【００２９】
そして、溶解する場合には容器１をそのまま溶解装置にセットし、前記した操作によりノズル１３を挿入すると、ノズル１３から供給された水が開口部２を通って室１０ｂにも供給されるので、支障なく溶解することができる。
【００３０】
この様にして使用された後の容器１は、容器本体４を柔軟性のある樹脂フィルムで袋体状にしてあるので、容易に潰して容積を減少させることができ、この減容状態で廃棄することができる。その結果、廃棄容量を削減することができる。
【００３１】
【発明の効果】
以上、説明したように本発明によれば以下の効果を奏する。
請求項１の発明によれば、開口部を一端近傍の側面に設けた芯筒と、この芯筒を内包する袋状の容器本体とにより容器を構成し、上記芯筒の一端を容器本体の一部に接合して該一端の開口を封止するとともに、芯筒の他端を容器本体の上記接合部位の反対側の部位に接合して該他端の開口を封止することにより芯筒の内側の室と外側の室との２つの室を形成し、芯筒の他端の開口を封止している領域を破断可能な素材で構成したので、容器本体が袋状であっても、溶解装置にセットして容器の一部を破断する際の押圧力を芯筒によって受けることができる。したがって、容器本体が潰される虞れがなく、円滑に破断できて溶解時の操作性を損なうことがない。
そして、芯筒の他端の開口を封止している領域が破断可能な素材で構成されているので、円滑且つ確実に破断することができる。
また、使用後の廃棄の際には、特殊な装置を使用することなく容器本体を容易に押し潰して容積の削減（減容）ができる。しかも、前記芯筒は、その強度が、前記した封止領域を破断する際に加えられる軸方向の押圧力を受けた状態で潰れることがなく、軸方向に交差する左右方向からの押圧力で押し潰し可能な強度に設定されているので、使用後の廃棄の際には、芯筒までも左右方向から押し潰すこともでき、一層減容することもできる。
【００３２】
さらに、上記芯筒の一端を容器本体の一部に接合して該一端の開口を封止するとともに、芯筒の他端の他端を容器本体の上記接合部位の反対側の部位に接合して該他端の開口を封止するので、芯筒と容器本体との位置関係が安定し、これにより溶解装置にセットした際に、カッターを所定位置に挿入することができる。
【００３３】
請求項２の発明によれば、一端近傍の側面に開口部を設けた芯筒と、この芯筒を内包する袋状の容器本体とから容器を構成し、上記芯筒の両端の開口を封止することにより芯筒の内側の室と外側の室との２つの室を形成し、上記開口部を上にした状態で、一方の室内に乾燥状態のブドウ糖を、他方の室内に他の構成成分をそれぞれ分けて収納するので、輸送時及び保管時にブドウ糖が他の構成成分と直接触れない。したがって、ブドウ糖の変質が防止でき、長期間の保存にも耐え得る。
そして、溶解装置にセットして容器の一部を破断する際の押圧力を芯筒によって受けることができるので、容器が潰される虞れがなく、円滑に破断できて溶解時の操作性を損なうことがない。
また、使用後の廃棄の際には、特殊な装置を使用することなく容器本体を容易に押し潰して容積の削減（減容）ができる。しかも、前記芯筒は、その強度が、前記した封止領域を破断する際に加えられる軸方向の押圧力を受けた状態で潰れることがなく、軸方向に交差する左右方向からの押圧力で押し潰し可能な強度に設定されているので、使用後の廃棄の際には、芯筒までも左右方向から押し潰すこともでき、一層減容することもできる。
【００３４】
請求項３の発明によれば、上記芯筒を、紙あるいはプラスチック製の筒体で構成し、上記袋状の容器本体を、柔軟性のある樹脂製フィルム材で構成したので、使用後の減容を容易且つ確実に行なうことができる。
【図面の簡単な説明】
【図１】透析用剤の容器の斜視図である。
【図２】透析用剤の容器の断面図である。
【図３】溶解装置に装着した状態における透析用剤の容器の断面図である。
【符号の説明】
１  容器
２  開口部
３  芯筒
４  容器本体
５  胴部
６  第１面
７  第２面
９  封止シール材
１０  室
１０ａ  芯筒の内側の室
１０ｂ  芯筒の外側の室
１１  ターンテーブル
１２  接続部材
１３  ノズル
１４  カッター
１５  排液管
【図１】
0004362207.tif 000002
【図２】
0004362207.tif 000003
【図３】
0004362207.tif 000004